(57)【要約】【課題】再生音声の聞き逃しを抑制しつつ、再生の遅れを抑制する。【解決手段】再生部１３による再生データの再生を制御する制御部１７は、再生環境が再生に適していない場合で、且つ、再生中の再生データに音声が含まれている場合に、再生環境が再生に適した状態となったときに音声が含まれる再生データを再生できるように制御する。【選択図】図１
2013198092.tif 000002
【特許請求の範囲】
【請求項１】
再生データを再生する再生部と、
前記再生部による再生データの再生を制御する制御部と、
再生環境に関する情報を取得する取得部と、
を有し、
前記制御部は、
前記再生環境が再生に適していない場合で、且つ、再生中の前記再生データに音声が含まれている場合に、前記再生環境が再生に適した状態となったときに前記音声が含まれる再生データを再生できるように制御する、
ことを特徴とする再生装置。
【請求項２】
前記制御部は、
前記再生環境が再生に適していない、且つ、再生中の前記再生データに音声が含まれる、という条件を満たしたときに、前記再生部による再生データの再生を中止させる、
ことを特徴とする請求項１に記載の再生装置。
【請求項３】
前記制御部は、
前記条件を満たさなくなったときに、前記再生部による再生データの再生を再開させる、
ことを特徴とする請求項２に記載の再生装置。
【請求項４】
前記制御部は、
前記取得部により取得された再生環境に関する情報から、再生環境が再生に適しているか否かを判定する第１判定部と、
前記再生部が再生している再生データに、音声が含まれるか否かを判定する第２判定部と、
を有し、
前記第１判定部により前記再生環境が再生に適していないと判定され、且つ、前記第２判定部により音声が含まれると判定されたときの前記再生部が再生している再生データの再生位置を記憶部に記録させる、
ことを特徴とする請求項１に記載の再生装置。
【請求項５】
前記再生位置を記憶部に記憶させた後に、前記第１判定部により前記再生環境が再生に適していると判定された場合に、前記記憶部に記憶させた前記再生位置から前記再生データの再生を再開させるか否かを利用者に選択させる選択手段を有する、
ことを特徴とする請求項４に記載の再生装置。
【請求項６】
前記制御部は、
前記再生環境が再生に適していない場合に、前記再生部に再生データの再生を継続させて、再生中の前記再生データに音声が含まれているときに、音声を含む期間についての再生開始位置および再生終了位置を記録し、
再生に適した再生環境に戻ると、前記再生開始位置および前記再生終了位置が記録された前記音声を含む期間を、前記再生部に再生させる、
ことを特徴とする請求項１記載の再生装置。
【請求項７】
前記制御部は、
前記再生部が再生している再生データに含まれる音声の種別を判断し、前記音声が歌又はコマーシャルにおける音声の少なくとも一方のである場合は、前記再生部による再生データの再生を制御しない、
ことを特徴とする請求項１から６のいずれか一項記載の再生装置。
【請求項８】
前記制御部は、
前記取得部による取得結果から、聴取者周辺にノイズが発生している場合、車両の操作が行われた場合、離席である場合、および、車両の現在位置においてノイズの発生が予想される場合、の中の少なくとも１つのことが認識された場合には、前記再生環境が再生に適していないと判断する、
ことを特徴とする請求項１から７のいずれか一項記載の再生装置。
【請求項９】
再生装置に用いられる再生制御方法であって、
再生データを再生する再生工程と、
再生環境に関する情報を取得する取得工程と、
前記再生環境が再生に適していない場合で、且つ、再生中の前記再生データに音声が含まれている場合に、前記再生環境が再生に適した状態となったときに前記音声が含まれる再生データを再生できるように制御する制御工程と、
を含むことを特徴とする再生制御方法。
【請求項１０】
請求項９に記載の再生制御方法を、再生装置に実行させる、
ことを特徴とする再生制御プログラム。
【請求項１１】
請求項１０に記載の再生制御プログラムを、コンピュータに読取可能とした、
ことを特徴とする記録媒体。
【発明の詳細な説明】
【技術分野】
【０００１】
本発明は、再生装置、再生制御方法、再生制御プログラム、および記録媒体に関する。
【背景技術】
【０００２】
従来、自動車などの車両において、放送番組などの再生データを再生する再生装置が利用されている（特許文献１）。
【先行技術文献】
【特許文献】
【０００３】
【特許文献１】特開２００７−３１２０４０号公報
【発明の概要】
【発明が解決しようとする課題】
【０００４】
しかしながら、車両では、一般家庭と異なり、頻繁に且つ大きな外部ノイズが発生する。そのような環境は、視聴に適した再生環境とは言えない。
視聴者は、再生装置で再生された音声を聞き逃すことがある。
【０００５】
そこで、特許文献１では、放送受信中に騒音が発生した場合にタイムシフト再生を利用して音声および映像を記録し、その後に騒音がなくなると、記録した音声および映像を再生する。
しかしながら、特許文献１のように、騒音を検出したことにより音声および映像の記録を開始し、騒音がなくなった後に、記録した音声および映像をタイムシフト再生可能にした場合、該タイムシフト再生に、騒音を検知していた期間と同じ長さの期間が必要になる。タイムシフト再生ではない通常の再生に復帰するまで、時間がかかる。
しかも、特許文献１では、騒音を検知している期間のすべての音声および映像を記録できる、大容量の記憶部が必要になる。
【０００６】
このように再生装置では、再生音声の聞き逃しを抑制しつつ、再生の遅れを抑制することが求められている。
【課題を解決するための手段】
【０００７】
請求項１に係る発明は、再生データを再生する再生部と、前記再生部による再生データの再生を制御する制御部と、再生環境に関する情報を取得する取得部と、を有し、前記制御部は、前記再生環境が再生に適していない場合で、且つ、再生中の前記再生データに音声が含まれている場合に、前記再生環境が再生に適した状態となったときに前記音声が含まれる再生データを再生できるように制御する、再生装置である。
【０００８】
請求項９に係る発明は、再生装置に用いられる再生制御方法であって、再生データを再生する再生工程と、再生環境に関する情報を取得する取得工程と、前記再生環境が再生に適していない場合で、且つ、再生中の前記再生データに音声が含まれている場合に、前記再生環境が再生に適した状態となったときに前記音声が含まれる再生データを再生できるように制御する制御工程と、を含む再生制御方法である。
【０００９】
請求項１０に係る発明は、請求項９に記載の再生制御方法を、再生装置に実行させる、再生制御プログラムである。
【００１０】
請求項１１に係る発明は、請求項１０に記載の再生制御プログラムを、コンピュータに読取可能とした、記録媒体である。
【図面の簡単な説明】
【００１１】
【図１】図１は、本発明の第１実施形態に係る再生装置の概略構成図である。
【図２】図２は、図１の制御部による再生制御を示すフローチャートである。
【図３】図３は、再生環境に応じた再生制御の第１動作例を示すタイミングチャートである。
【図４】図４は、再生環境に応じた再生制御の第２動作例を示すタイミングチャートである。
【図５】図５は、比較例での再生制御を示すタイミングチャートである。
【図６】図６は、第２実施形態に係る再生装置による再生制御を示すフローチャートである。
【発明を実施するための形態】
【００１２】
以下、本発明の実施形態を、図面に基づいて説明する。
【００１３】
［第１実施形態］
図１は、本発明の第１実施形態に係る再生装置１の概略構成図である。
図１の再生装置１は、自動車などの車両に搭載されるものである。
図１の再生装置１は、受信部１１、メモリ１２、再生部１３、表示部１４、音声出力部１５、スピーカ１６、制御部１７、操作部１８、マイクロホン１９、音声入力部２０、ＧＰＳ受信部（Global Positioning System）２１、を有する。
また、図１には、車両のＥＣＵ（Engine Control Unit）２２が図示されている。
【００１４】
受信部１１は、たとえば地上波デジタル放送の受信機である。
受信部１１は、放送電波を受信し、送信により配信された再生データを復調する。
地上波デジタル放送では、放送番組の映像コンテンツ、音声コンテンツ、データ放送コンテンツなどのエレメンタリストリーム（ES：Elementary Stream）を、ＭＰＥＧ２−ＴＳ（Moving Picture Experts Group - Transport Stream）方式のトラスポートストリームに格納する。エレメンタリストリームは、ソース変調される。
受信部１１は、たとえば、放送局毎に割り当てられた周波数の搬送波を用いてＯＦＤＭ（Orthogonal Frequency-Division Multiplexing）方式でチャンネル変調されたトラスポートストリームを受信し、放送番組のエレメンタリストリームを生成する。
【００１５】
メモリ１２は、ＲＡＭ（Random Access Memory）、ハードディスクデバイスなどで構成される。
メモリ１２は、受信部１１に接続される。メモリ１２は、受信部１１により受信された受信データを記憶する。メモリ１２は、受信データのバッファとして機能する。
【００１６】
再生部１３は、たとえばＤＳＰ（Digital Signal Processor）である。
再生部１３は、メモリ１２に接続される。
再生部１３は、メモリ１２に記憶された放送番組のエレメンタリストリームを読み込み、映像データ、音声データを生成する。
【００１７】
表示部１４は、たとえば液晶ディスプレイデバイスである。
表示部１４は、再生部１３に接続される。
再生部１３は、映像データを表示部１４へ出力する。表示部１４には、受信した放送番組の映像（動画）が表示される。
【００１８】
音声出力部１５は、再生部１３とスピーカ１６とに接続される。
音声出力部１５は、たとえば音声データを音声信号へ変換するＤＡ（Digital to Analog）コンバータである。
再生部１３は、音声データを音声出力部１５へ出力する。音声出力部１５は、映像データに基づいてスピーカ１６を駆動する。スピーカ１６から、受信した放送番組の音声が出力される。
【００１９】
制御部１７は、たとえばマイクロコンピュータである。
マイクロコンピュータは、ＣＰＵ（Central Processing Unit）、内蔵メモリを有する。ＣＰＵが内蔵メモリに記憶されるプログラムを実行する。これにより、再生装置１に、制御部１７が実現される。
制御部１７は、再生部１３に接続される。制御部１７は、再生部１３による再生動作を制御する。
たとえば、制御部１７は、再生部１３に再生開始を指示する。また、制御部１７は、再生データ、再生開始位置を指定する。これにより、再生部１３は、指定された再生データの指定された再生開始位置から再生データを再生する。
また、制御部１７は、再生部１３に再生の停止または中止を指示する。
再生停止の指示があると、再生部１３は、再生を終了する。
再生中止の指示があると、再生部１３は、再生を中止する。その後に、再生の再開が指示されると、再生部１３は、再生を中止した再生位置から、再生を再開する。
【００２０】
操作部１８は、たとえばタッチパネルデバイス、キー入力デバイスである。
操作部１８は、制御部１７に接続される。
操作部１８は、ユーザ操作に応じて操作データを、制御部１７へ出力する。
【００２１】
制御部１７には、音声入力部２０、ＧＰＳ受信部２１、ＥＣＵ２２などの、再生環境を検出するデバイスが接続される。
【００２２】
音声入力部２０は、マイクロホン１９に接続される。
音声入力部２０は、たとえば音声をサンプリングするＡＤ（Analog to Digital）コンバータである。
音声入力部２０は、マイクロホン１９に入力された音声をデジタル変換し、音声データを、制御部１７へ出力する。
マイクロホン１９は、たとえば車両の乗車空間に設置されればよい。
【００２３】
ＧＰＳ受信部２１は、ＧＰＳ用衛星の電波を受信し、再生装置１の位置情報を生成する。
ＧＰＳ受信部２１は、生成した位置情報を、制御部１７へ出力する。
ＥＣＵ２２は、車両のエンジンなどを制御するデバイスである。
ＥＣＵ２２は、たとえばハンドルの左右への操舵の検出信号、アクセルペダルの操作信号、ブレーキペダルの操作信号を、制御部１７へ出力する。
【００２４】
次に、図１の再生装置１による再生動作について説明する。
【００２５】
図１の再生装置１において、受信部１１は、放送電波を受信する。
メモリ１２は、受信部１１により受信された放送電波の再生データを記憶する。
再生部１３は、メモリ１２から再生データを読み込む。再生部１３は、再生データから映像のエレメンタリストリームを生成し、表示部１４へ出力する。表示部１４には、放送番組の映像が表示される。
また、再生部１３は、メモリ１２から読み込んだ再生データから、音声のエレメンタリストリームを生成し、音声出力部１５へ出力する。音声出力部１５は、スピーカ１６から、放送番組の音声を出力する。
これにより、視聴者は、放送番組を視聴できる。
【００２６】
ところで、図１の再生装置１は、車両に搭載される。
車両では、家庭と異なり、走行音、クラクション、サイレン、踏み切りの警告音などの外部ノイズがある。再生中に外部ノイズが発生すると、視聴者は、放送音声を聞き逃す恐れがある。
また、車両は移動する。車両は、たとえば右折し、左折し、停止し、発進する。車両を操作する運転手や助手席の乗員の意識は、安全確認などに向いている。車両の視聴者は、放送音声を聞き逃す可能性がある。
そして、視聴者は、聞き逃した放送音声を聞きたい。
聞き逃した放送音声を再度聞くためには、再生装置１は、タイムシフトレコーディングなどにより、放送音声を記録し、後から再生できるようにする必要がある。
しかも、視聴者は、放送音声を記録し、聞き逃した音声が再生されるように再生を巻き戻す操作をしなければならない。乗車中のそれらの作業は、乗員にとって手間であり、負担である。
また、聞き逃した再生位置をピンポイントで探し出して再生することは、困難である。
【００２７】
そこで、本実施形態では、再生装置１が、再生環境を判定する。そして、再生環境が再生に適した状態でなくなった場合、再生を停止し、再生環境が再生に適した状態に戻った後に、人の音声を再生する。
【００２８】
図２は、図１の制御部１７による再生制御を示すフローチャートである。
再生部１３に放送番組を再生させている場合、制御部１７は、図２の再生制御を実行する。制御部１７は、たとえば操作部１８の操作に基づいて再生部１３に再生を開始させた後、操作部１８の操作に基づいて再生部１３を停止するまでの期間において、図２の再生制御を実行する。
また、制御部１７は、放送番組の内容などに応じて、図２の再生制御の実行の可否を判定してよい。たとえば、放送番組がニュース、ドラマなどである場合、図２の再生制御を実行し、放送番組がスポーツ中継などである場合、図２の再生制御を中止してよい。
【００２９】
図２の再生制御において、制御部１７は、まず、再生環境を判定する（ステップＳＴ１）。制御部１７は、再生環境が再生に適しているか否かを判定する第１判定部として機能する。
再生環境には、ノイズ、車両の運転状況などか含まれる。
具体的にはたとえば、制御部１７は、音声入力部２０からの音声信号に基づいて、外部ノイズが入力されているか否かを判定する。
そして、音が聞き取れなくなる恐れがある所定の閾値を超える音量の外部ノイズが検出された場合、制御部１７は、再生環境が再生に適していないと判定する。
これに対し、外部ノイズが所定の閾値を超えない音量である場合、制御部１７は、再生環境が再生に適していると判定する。
【００３０】
制御部１７は、外部ノイズ以外の事象についても、再生環境が再生に適しているか否かを判定してよい。
たとえば、制御部１７は、音声入力部２０からの音声信号ではなく、音声入力部２０の動作状態、たとえば外部ノイズが増えて、自動音量（ゲイン）調整機能の調整レベルが下がった場合に、再生環境が再生に適していないと判定する。
制御部１７は、ＥＣＵ２２から操舵検出信号、フットペダルの操作検出信号が入力されると、再生環境が再生に適していないと判定する。
制御部１７は、ＥＣＵ２２から、アイドリング状態での離席検出信号（無人検出信号）、ドア開閉検出信号、窓開閉操作検出信号、後退検出信号、駐車中信号が入力されると、再生環境が再生に適していないと判定する。
制御部１７は、ＧＰＳ受信部２１からの位置情報を用いて、検出された現在位置がたとえば踏み切りなどのノイズの発生が予想される地点であるか否かを判定し、そのような地点である場合、再生環境が再生に適していないと判定する。制御部１７は、高速道路のインターチェンジなどの料金所付近であるか否かについても判定してよい。
制御部１７は、これらの事象が発生してない場合、再生環境が再生に適していると判定する。
【００３１】
また、制御部１７は、上述した各事象の検出に基づいて再生環境が再生に適していないと判定する場合であっても、特定の状況下では例外的に、再生環境が再生に適していると判定してよい。
たとえば、外部ノイズが車両内の人の音声である場合、制御部１７は、再生環境が再生に適していると判定する（ステップＳＴ２）。
【００３２】
外部ノイズが車両内の人の音声でない場合、制御部１７は、さらに再生部１３による再生データの再生状況を判定する（ステップＳＴ３）。制御部１７は、再生中の再生データに音声が含まれるか否かを判定する第２判定部として機能する。
【００３３】
制御部１７は、まず、人の音声を周波数成分などにより解析する音声認識処理により再生音を解析し、人の音声が含まれているか否かを判定する。
この他にもたとえば、制御部１７は、音声データのＬチャンネルとＲチャンネルとの差分に基づいて、人の音声の有無を判定してもよい。
また、制御部１７は、再生データに字幕データが含まれる場合、再生音声に人の音声が含まれていると判定する。
【００３４】
人の音声を再生している場合、制御部１７は、さらに該音声の種別を判定する。
具体的にはたとえば、制御部１７は、再生音に含まれる人の音声が、歌によるものであるか否かを判定する。制御部１７は、たとえば音声以外の音声成分を解析し、歌であるか否かを判定する。制御部１７は、字幕データに含まれる音符マークなどにより、歌であるか否かを判定してもよい。
また、制御部１７は、再生音に含まれる人の音声が、コマーシャルの音声であるか否かを判定する。制御部１７は、再生データに含まれるチャプタ情報、音声多重切替情報を用いて、コマーシャルの音声であるか否かを判定する。
【００３５】
そして、再生音に含まれる人の音声が、歌の音声またはコマーシャルの音声以外である場合、制御部１７は、再生部１３による再生データの再生を停止する（ステップＳＴ４）。
制御部１７は、再生部１３へ停止信号を出力する。
再生部１３は、メモリ１２からの再生データの読み込みを停止する。
これにより、放送番組の再生が停止する。
【００３６】
これに対し、再生環境が再生に適している場合、再生部１３が人の音声を再生していない場合、再生部１３が人の音声を再生している場合であってもその音声が歌またはコマーシャルの音声である場合、制御部１７は、再生部１３へ停止信号を出力しない（ステップＳＴ５）。
再生部１３は、メモリ１２からの再生データの読み込みを継続する。
これにより、放送番組は、継続して再生される。
【００３７】
制御部１７は、再生部１３が再生データを再生している期間において、図２の処理を繰り返す。
【００３８】
次に、再生環境が再生に適している場合の処理について説明する。
図２のステップＳＴ１において再生環境が再生に適していると判定した場合、制御部１７は、さらに再生部１３の再生状況を判定する（ステップＳＴ６）。
制御部１７は、たとえば、再生部１３の再生状況が、ステップＳＴ４での停止指示により再生が停止された状況であるか否かを判定する。
【００３９】
そして、再生部１３の再生状況が、ステップＳＴ４で停止された状況でない場合、制御部１７は、再生状態を継続するための処理をする。
制御部１７は、たとえば再生部１３に対し、指示を出力しない（ステップＳＴ５）。
再生部１３は、放送による再生データの再生を継続する。
【００４０】
これに対し、再生部１３の再生状況が、ステップＳＴ４で停止された状況である場合、制御部１７は、停止させた再生部１３に、再生の再開を指示する。
再生部１３は、ステップＳＴ４の指示により再生を停止した再生位置から、再生データの読み込みを開始する。
【００４１】
以上のように、本実施形態では、再生部１３は、再生環境が再生に適していない場合、制御部１７の指示に基づき再生データの再生を停止する。また、再生環境が再生に適した状況に戻った後、該停止を確認し、制御部１７の指示に基づき停止した位置から再生を再開する。
よって、放送番組は、再生に適した再生環境において再生される。
視聴者は、放送音声を聞き逃し難くなる。
【００４２】
図３は、再生環境に応じた再生制御の第１動作例を示すタイミングチャートである。
図３（Ａ）は、再生部１３の再生状態である。図３（Ｂ）は、再生データの再生状況である。図３（Ｃ）は、外部ノイズである。図３（Ｄ）は、再生環境に応じた再生制御である。横軸は、時間である。
【００４３】
図３（Ａ）に示すように、再生部１３は再生状態にある。
図３（Ｃ）に示すように、タイミングＴ１１において、外部ノイズが発生する。
その後、図３（Ｂ）に示すように、タイミングＴ１２から、字幕データの再生が開始される。
制御部１７は、この字幕データが再生されるタイミングＴ１２において、再生環境が不適切で、かつ、人の音声を再生すると判定する。制御部１７は、再生部１３に、再生データの再生を停止を指示する。再生部１３は、再生を停止し、ポーズ状態になる。
【００４４】
その後、タイミングＴ１３において、外部ノイズが無くなる。
制御部１７は、再生環境が適切な状態に戻ったと判定する。制御部１７は、再生部１３に再生の再開を指示する。
再生部１３は、タイミングＴ１２において再生を停止した位置から、再生データを読み込み、再生を再開する。
これにより、字幕データを含む再生期間は、再生環境が適切な状況において再生される。
視聴者は、字幕データに表示される人の音声を、再生に適した再生環境で視聴し、聞き逃し難くなる。
【００４５】
図４は、再生環境に応じた再生制御の第２動作例を示すタイミングチャートである。
図４（Ａ）から（Ｄ）は、図３（Ａ）から（Ｄ）に対応する。
【００４６】
図４（Ａ）に示すように、再生部１３は再生状態にある。
図４（Ｃ）に示すように、タイミングＴ２１において、外部ノイズが発生する。
その後、図３（Ｂ）に示すように、タイミングＴ２２から、人の音声が再生される。
制御部１７は、この人の音声が再生されるタイミングＴ２２において、再生環境が不適切で、かつ、人の音声を再生すると判定する。制御部１７は、再生部１３に、再生停止を指示する。再生部１３は、再生を停止し、ポーズ状態となる。
【００４７】
その後、タイミングＴ２３において、外部ノイズが無くなる。
制御部１７は、再生環境が適切な状態に戻ったと判定する。制御部１７は、再生部１３に再生データの再生の再開を指示する。
再生部１３は、タイミングＴ２２での指示に基づいて再生を停止した位置から、再生データの読み込みを開始し、再生を再開する。
これにより、人の音声を含む再生期間は、再生環境が適切な状況において再生される。
視聴者は、字幕データに表示される人の音声を、再生に適した再生環境で視聴し、聞き逃し難くなる。
【００４８】
図５は、比較例での再生制御を示すタイミングチャートである。
図５の比較例の制御部１７は、単に再生環境のみを判定して、再生部１３による再生データの再生を制御する。
図５（Ａ）から（Ｄ）は、図３（Ａ）から（Ｄ）に対応する。
【００４９】
図５（Ａ）に示すように、再生部１３は再生状態にある。
図５（Ｃ）に示すように、コマーシャル中の台詞が発せられているタイミングＴ３１において、外部ノイズが発生する。
比較例の制御部１７は、再生される音声がコマーシャルのものであるか否かを判定することなく、この外部ノイズが発生したタイミングＴ３１において、再生環境が不適切であると判定する。制御部１７は、再生部１３に、再生停止を指示する。再生部１３は、再生を停止し、ポーズ状態となる。
【００５０】
その後、タイミングＴ３２において、人の音声の再生が終了する。しかしなから、タイミングＴ３２では、外部ノイズが残存している。制御部１７は、再生環境が引き続き不適切な状況にあると判定し続ける。再生の再開を指示しない。
更にその後、タイミングＴ３３において、外部ノイズが無くなる。
制御部１７は、この外部ノイズが無くなるタイミングＴ３３において、再生環境が適切な状態に戻ったと判定する。制御部１７は、再生部１３に、再生の再開を指示する。
再生部１３は、タイミングＴ３１の指示に基づいて再生を停止した位置から、再生データの再生を再開する。
【００５１】
また、図５では、再生再開後のタイミングＴ３４において、再び外部ノイズが発生する。
比較例の制御部１７は、この外部ノイズが発生したタイミングＴ３４において、再生環境が不適切であると判定する。制御部１７は、再生部１３に、再び再生停止を指示する。再生部１３は、ポーズ状態となる。
その後、タイミングＴ３５において、人の音声の再生が終了する。しかしなから、タイミングＴ３５では、外部ノイズが残存している。制御部１７は、再生環境が引き続き不適切な状況にあると判定し続ける。再生の再開を指示しない。
その後、タイミングＴ３６において、外部ノイズが無くなる。制御部１７は、再生環境が適切な状態に戻ったと判定する。制御部１７は、再生部１３に、再生再開を指示する。再生部１３は、タイミングＴ３４の指示に基づいて再生を停止した位置から、再生データの再生を再開する。
【００５２】
この比較例のように、単に再生環境が再生に適しているか否かの判定に基づいて、再生部１３による再生データの再生を停止する場合、図５に示すように、再生が停止する期間が長くなる。
たとえば図３では、タイミングＴ１２からタイミングＴ１３までの期間で再生が停止されるのに対し、図５では、タイミングＴ３４からタイミングＴ３６までの期間で再生が停止される
再生が停止される期間が長くなると、放送電波での実時間での再生とのタイムラグが大きくなる。
受信部１１により受信された放送電波の再生データを記憶するメモリ１２は、その長い停止期間の再生データを記憶できるように、大容量にする必要が生じる。
【００５３】
これに対し、本実施形態では、再生環境の適否を判定した後に、さらに人の音の有無を判定し、人の音声が含まれる場合にのみ再生を停止する。
また、再生環境が適切でない期間中に、人の音声が再生された場合、再生を停止する。
よって、再生に適した環境に戻った後に後追いで再生する期間を短くできる。
再生に適さない再生環境で再生すべき再生データを、該再生に適さない再生環境の期間より短い期間で再生する、
再生音声の聞き逃しを抑制しつつ、再生の遅れを抑制できる。
また、メモリ１２の容量を削減できる。
【００５４】
［第２実施形態］
第２実施形態に係る再生装置１は、図１に示すものと同様である。
第１実施形態と同一の符号を使用し、その説明を省略する。
【００５５】
図６は、第２実施形態に係る再生装置１による再生制御を示すフローチャートである。
【００５６】
図６の再生制御において、制御部１７は、まず、再生環境を判定する。制御部１７は、たとえば音声入力部２０からの音声信号に基づいて、外部ノイズが入力されているか否かを判定する（ステップＳＴ１）。
【００５７】
再生環境が再生に適していないと判定した場合、制御部１７は、さらに再生部１３による再生データの再生状況を判定する。
制御部１７は、たとえば人の音声を再生中であるか否かを判定する（ステップＳＴ２）。
再生部１３による再生データの再生状況が、人の音声を再生している状況である場合、制御部１７は、さらに該音声の種類を判定する。制御部１７は、たとえば歌であるか否かを判定する（ステップＳＴ３）。
そして、再生音に含まれる人の音声が、歌またはコマーシャル以外の音声である場合、制御部１７は、再生データの再生位置を記録する（ステップＳＴ１１）。制御部１７は、該再生位置を、再生開始位置としてメモリ１２に記録する。
再生部１３は、再生データの再生を継続する。
【００５８】
これに対し、再生環境が再生に適している場合、再生部１３が人の音声を再生していない場合、再生部１３が人の音声を再生している場合であっても歌またはコマーシャルの音声である場合、制御部１７は、再生データの再生位置を記録しない。
再生部１３は、再生データの再生を継続する（ステップＳＴ５）。
【００５９】
制御部１７は、再生部１３が再生データを再生している期間において、以上の処理を繰り返す。
再生部１３は、制御部１７の判定結果にかかわらず、再生データの再生を継続する。
【００６０】
次に、再生環境が再生に適している場合の処理について説明する。
図６のステップＳＴ１において再生環境が再生に適していると判定した場合、制御部１７は、さらに再生部１３の再生状況を判定する（ステップＳＴ６）。
制御部１７は、たとえば、ステップＳＴ１１において再生開始位置が記録されたか否かを判定する。
【００６１】
そして、ステップＳＴ１１において再生開始位置が記録されていない場合、制御部１７は、そのままの再生状態を継続するための処理をする。
制御部１７は、たとえば再生部１３に対し、指示を出力しない（ステップＳＴ５）。
再生部１３は、放送による再生データの再生を継続する。
【００６２】
これに対し、ステップＳＴ１１において再生開始位置が記録された場合、制御部１７は、再生開始位置からの再生を、再生部１３に指示する（ステップＳＴ７）。
再生部１３は、再生開始位置から、再生データの再生を再開する。
【００６３】
以上のように、本実施形態では、制御部１７は、再生部１３の再生中に再生環境が再生に適していない状況になると、再生開始位置を記録する。その後、再生環境が再生に適した状況に戻ると、再生開始位置の記録を確認し、再生部１３に、再生開始位置からの再生を実行させる。
よって、視聴者は、再生環境が再生に適していない再生環境において再生された放送音声を、再生に適した再生環境に戻った後の後追い再生において、再度視聴できる。放送音声を、聞き漏らし難くなる。
【００６４】
また、本実施形態では、再生環境の適否を判定した後に、さらに人の音の有無を判定し、人の音声が含まれる場合にのみ、再生開始位置を記録する。
また、再生環境が適切でない期間中に、人の音声が再生された場合、再生開始位置を記録する。
よって、再生に適した環境に戻った後に後追いで再生する期間を短くできる。
再生に適さない再生環境で再生すべき再生データを、該再生に適さない再生環境の期間より短い期間で再生する、
再生音声の聞き逃しを抑制しつつ、再生の遅れを抑制できる。
また、メモリ１２の容量を削減できる。
【００６５】
以上の実施形態は、本発明の好適な実施形態の例であるが、本発明は、これに限定されるものではなく、発明の要旨を逸脱しない範囲において種々の変形または変更が可能である。
【００６６】
たとえば上記第２実施形態では、制御部１７は、視聴に適していない再生環境での人の音声の再生位置を、再生開始位置として記録している。
この他にもたとえば、制御部１７は、再生環境が視聴に適した状況に戻った状況、または人の音声の終了位置を、再生終了位置として記録してよい。
このように視聴に適さない再生環境で再生される人の音声の再生開始位置と再生終了位置とを記録することにより、再生部１３は、視聴に適さない再生環境で人の音声を再生し、かつ、後追い再生において、再生開始位置から再生終了位置までを再生できる。また、視聴に適さない再生環境で再生される人の音声を含む期間について、複数組の再生開始位置と再生終了位置とを記録することにより、後追い再生で人の音声を含む区間のみを再生できる。後追い再生の期間を、短時間にできる。放送電波の実時間再生に早期に戻れる。
【００６７】
また、後追い再生において、再生部１３は、再生スピードを増速してよい。再生部１３は、放送電波の実時間再生に戻るまで、再生スピードを増速してよい。
これにより、たとえば騒音によって視聴が妨げられた期間が長期化した場合でも、後追い再生を早期に終了し、放送電波の実時間再生へすばやく戻ることができる。後追い再生時間を短くできる。メモリ１２の容量不足が発生し難くなる。
【００６８】
上記第２実施形態では、再生部１３は、視聴に適さない再生環境においても、再生を継続している。
この他にもたとえば、再生部１３は、視聴に適さない再生環境においては、再生の出力を停止してもよい。
【００６９】
上記第２実施形態では、再生環境が視聴に適した状況に戻った後、再生部１３は、再生開始位置からの後追い再生を自動的に開始している。
この他にもたとえば、再生部１３は、再生開始位置から再生終了位置までの各区間のチャプタを表示し、操作部１８により選択されたチャプタを後追い再生してもよい。この場合、視聴者は、表示されたチャプタをクリックするだけで、後追い再生ができる。視聴者は、タイムシフト再生の場合のように、巻き戻し、停止、再生などの一連の複雑な操作をしなくてよい。
なお、再生開始位置、再生終了位置、チャプタなどの情報は、再生装置１または車両の停止により、消去されてよい。
【００７０】
上記第２実施形態において、制御部１７は、図６のステップＳＴ６において再生開始位置が記録されたと判定した場合、ステップＳＴ７において再生開始位置からの再生を再生部１３に指示している。
この他にもたとえば、制御部１７は、図６のステップＳＴ６において再生開始位置が記録されたと判定した場合、再生開始位置からの再生の要否を更に判定し、必要と判断した場合に、ステップＳＴ７での再生開始位置からの再生を再生部１３に指示してもよい。
再生要否の判定において、制御部１７は、たとえば、表示部１４に要否確認画面を表示させ、それに応じた操作部１８からの操作データに基づいて再生の要否を選択すればよい。再生要を選択した場合、制御部１７は、ステップＳＴ７により、再生開始位置からの再生を再生部１３に指示する。再生不要を選択した場合、制御部１７は、ステップＳＴ７を実行することなく、ステップＳＴ１１で記録された再生開始位置を削除する。
この場合の制御部１７は、再生データの再生を再開させるか否かを利用者に選択させる選択手段として機能する。
これにより、再生環境が適切でない状況下で再生された音声についての後追い再生を、利用者に選択させることができる。利用者は、聞き取りにくかった部分の重要性を自身で判断した後に、その聞き取り難かった箇所についての後追い再生の要否を選択できる。
【００７１】
上記実施形態では、再生装置１の再生部１３は、放送電波の再生データを再生している。
この他にもたとえば、再生部１３は、インターネットなどの通信回線を通じてメモリ１２に記録した再生データを再生してもよい。また、光ディスク、ＵＳＢ（Universal Serial Bus）メモリなどの記録媒体に記録された再生データを再生してもよい。
また、再生データは、映像のみでも、音声のみでもよい。制御部１７は、再生データに含まれるコンテンツに応じて、判定する再生環境を切り替えてもよい。
【符号の説明】
【００７２】
１  再生装置
１３  再生部
１７  制御部（第１判定部、第２判定部）
２０  音声入力部（取得部）
２１  ＧＰＳ受信部（取得部）
２２  ＥＣＵ（取得部）
【図１】
2013198092.tif 000003
【図２】
2013198092.tif 000004
【図６】
2013198092.tif 000005
【図３】
2013198092.tif 000006
【図４】
2013198092.tif 000007
【図５】
2013198092.tif 000008